(57)【要約】【課題】硬さバランスの良好な崩れにくい畦を形成できる農作業機を提供する。【解決手段】農作業機は、土を盛り上げる盛土体と、盛土体にて盛り上げた土を締め固めて畦側面を形成する略円錐状の円錐回転体である側面形成体１５とを具備する。側面形成体１５は、回転中心軸線Ｘを中心として放射状に位置する複数枚の作用板である側面形成板２１を備える。各側面形成板２１の回転方向後端部の縮径側には締付力偏り防止用の膨出板部２３を形成し、回転方向前端部の縮径側には切欠部を形成した。【選択図】        図３
2004305056.tif 000002
【特許請求の範囲】
【請求項１】
土を盛り上げる盛土体と、
回転中心軸線を中心として回転しながら、前記盛土体にて盛り上げられた土を締め固めて畦面を形成する略円錐状の円錐回転体とを具備し、
前記円錐回転体は、前記回転中心軸線を中心として放射状に位置する複数枚の作用板を備え、
前記作用板の回転方向後端部には、反回転方向に向って膨出した締付力偏り防止用の膨出板部が形成されている
ことを特徴とする農作業機。
【請求項２】
作用板の回転方向前端部には、前記作用板と隣り合う作用板の膨出板部にて覆われた切欠部が形成されている
ことを特徴とする請求項１記載の農作業機。
【請求項３】
円錐回転体は、盛土体にて盛り上げられた土を締め固めて畦側面を形成する側面形成体である
ことを特徴とする請求項１または２記載の農作業機。
【発明の詳細な説明】
【０００１】
【発明の属する技術分野】
本発明は、硬さバランスの良好な崩れにくい畦を形成できる農作業機に関する。
【０００２】
【従来の技術】
従来、例えば土を盛り上げる盛土体と、回転中心軸線を中心として回転しながら盛土体にて盛り上げられた土を締め固めて畦側面を形成する略円錐状の円錐回転体である側面形成体とを具備し、その側面形成体が回転中心軸線を中心として放射状に位置する複数枚の略扇状の作用板を備えた農作業機が知られている（例えば、特許文献１参照。）。
【０００３】
【特許文献１】
特許第３１４８６７８号公報（第１頁、図５）
【０００４】
【発明が解決しようとする課題】
しかしながら、上記従来の農作業機では、略円錐状の側面形成体の縮径側の周速が拡径側の周速より遅いため、縮径側での締付力が拡径側での締付力より弱くなり、硬さバランスの良好な崩れにくい畦が形成されないおそれがある。
【０００５】
本発明は、このような点に鑑みなされたもので、硬さバランスの良好な崩れにくい畦を形成できる農作業機を提供することを目的とする。
【０００６】
【課題を解決するための手段】
請求項１記載の農作業機は、土を盛り上げる盛土体と、回転中心軸線を中心として回転しながら、前記盛土体にて盛り上げられた土を締め固めて畦面を形成する略円錐状の円錐回転体とを具備し、前記円錐回転体は、前記回転中心軸線を中心として放射状に位置する複数枚の作用板を備え、前記作用板の回転方向後端部には、反回転方向に向って膨出した締付力偏り防止用の膨出板部が形成されているものである。
【０００７】
そして、円錐回転体の作用板の回転方向後端部に形成された締付力偏り防止用の膨出板部によって円錐回転体による土の締付力の偏りが防止され、硬さバランスの良好な崩れにくい畦が形成される。
【０００８】
請求項２記載の農作業機は、請求項１記載の農作業機において、作用板の回転方向前端部には、前記作用板と隣り合う作用板の膨出板部にて覆われた切欠部が形成されているものである。
【０００９】
そして、円錐回転体の作用板の回転方向前端部に切欠部を形成しない場合に比べて、円錐回転体の重量が軽くなる。
【００１０】
請求項３記載の農作業機は、請求項１または２記載の農作業機において、円錐回転体は、盛土体にて盛り上げられた土を締め固めて畦側面を形成する側面形成体であるものである。
【００１１】
そして、円錐回転体である側面形成体にて畦側面の上側と畦側面の下側とが略同じ硬さにされ、硬さバランスの良好な崩れにくい畦が適切に形成される。
【００１２】
【発明の実施の形態】
以下、本発明の農作業機の一実施の形態について図面を参照して説明する。
【００１３】
図１において、１は農作業機で、この農作業機１は、走行車であるトラクタ（図示せず）に連結され、このトラクタの走行により畦に沿って移動しながら畦形成作業（畦修復作業）をする畦形成装置である。
【００１４】
農作業機１は、トラクタの後部に３点リンク（作業機昇降支持装置）を介して連結された機枠２を備えている。
【００１５】
機枠２は、連結部であるトラクタ連結部３を有しており、このトラクタ連結部３は、トップピンを有する中央のトップマスト（図示せず）と、ロワピン４を有する左右一対のロワアーム５とにて構成されている。
【００１６】
また、機枠２には、前後方向の入力軸６が回転可能に設けられている。この入力軸６は、トラクタのＰＴＯ軸にユニバーサルジョイントを介して連結され、トラクタからの動力を入力する。
【００１７】
さらに、機枠２の一側部における前側には、土を耕耘して盛り上げる前処理部である盛土体（ロータリ）７が回転可能に設けられている。この盛土体７は、入力軸６に伝動手段（図示せず）を介して接続された左右方向の水平状の回転軸８を有し、この回転軸８には耕耘爪９が放射状に取り付けられている。
【００１８】
また、機枠２の一側部における後側には、進行方向前側の盛土体７にて畦に盛り上げられた土を締め固めて新たな畦面を形成する畦形成部（ディスク）１１が回転可能に設けられている。なお、この畦形成部１１の回転速度は、トラクタの走行速度との関係で、畦面に対してスリップ回転する値に設定されている。
【００１９】
ここで、畦形成部１１は、入力軸６に伝動手段（図示せず）を介して接続された左右方向の水平状の回転軸（軸芯が回転中心軸線Ｘと一致する軸）１３を有している。
【００２０】
この回転軸１３には、図１ないし図４に示されるように、略円錐状の円錐回転体である側面形成体１５と、略円筒状の上面形成体１６とが、それぞれ回転軸１３と同軸状に取り付けられている。
【００２１】
側面形成体１５は、上面形成体１６側に向って縮径した略円錐状をなすもので、進行方向に対して直交する左右水平方向の回転中心軸線Ｘを中心として回転方向（図示イ方向）に回転しながら、進行方向前側の盛土体７にて盛り上げられた土を畦に断続的に押し込むように締め固めて傾斜状の畦内側面を形成するものである。
【００２２】
この側面形成体１５は、対向端部が重なるようにして回転方向（図示イ方向）に並び、回転中心軸線Ｘを中心として放射状に位置する複数枚（例えば６枚）の略扇状の作用板である側面形成板（分割羽根板）２１を外周面側に備えている。
【００２３】
そして、各側面形成板２１は、いずれも同一形状のものであって、回転方向後端ほど強く土を押し込むものであり、この側面形成板２１の全体が回転方向に沿ってやや湾曲した略扇状に形成されている。各側面形成板２１の外端側の略円弧状の外縁部２１ａは、回転中心軸線Ｘを中心とする仮想円上に位置しておらず、側面形成板２１の径方向寸法は回転方向後端ほど長くなっている（図２参照）。
【００２４】
また、各側面形成板２１の回転方向後端部の縮径側には、反回転方向に向って膨出した締付力偏り防止用の膨出板部２３が形成されている。この膨出板部２３は、例えば側面形成板２１の回転方向後端部の縮径側半部に一体的に形成されている。また、この膨出板部２３は、拡径側ほど幅広い略四角板状に形成され、拡径側の回転方向最後端の角部２３ａが略円弧状に形成されている。
【００２５】
なお、この膨出板部２３は、図２から明らかなように、側面視で、回転中心軸線Ｘと側面形成板２１の回転方向後端部における拡径側端３０とを結んだ基準線Ｂより、反回転方向に向って膨出した状態に位置し、この膨出した膨出板部２３にて側面形成体１５による土の締付力の偏りが防止される。
【００２６】
さらに、各側面形成板２１の回転方向前端部の縮径側には、回転方向側に隣り合う側面形成板２１の膨出板部２３にて覆われた切欠部２４がその膨出板部２３と対応した形状に形成されている。すなわち、互いに隣り合う２枚の側面形成板２１のうちの一方の側面形成板２１の膨出板部２３の内方に、他方の側面形成板２１の切欠部２４が配置されている。
【００２７】
また、各側面形成板２１は、回転軸１３の端部に固着された截頭円錐状のベース２６にこのベース２６の外周面に略沿って位置するように取付具（ボルトおよびナット等）２７によって着脱可能に取り付けられている。
【００２８】
なお、各側面形成板２１とベース２６との間にはスペーサ２８が配設され、各側面形成板２１の回転中心軸線Ｘからの離間距離が回転方向前端から回転方向後端に向って徐々に増大している。すなわち、各側面形成板２１は、回転方向後端ほどベース２６の外周面（基準円錐面）からの離間距離が大きくなるように傾斜状に配置され、回転方向後端ほど強く土を押し込むようになっている。
【００２９】
また一方、略円筒状の上面形成体１６は、進行方向に対して直交する左右水平方向の回転中心軸線Ｘを中心として回転しながら、進行方向前側の盛土体７にて盛り上げられた土を畦に押し込むように締め固めて水平状の畦上面を形成するものである。なお、上面形成体１６の端部外面と側面形成体１５の縮径側の端部外面とを覆うように畦肩部形成用の筒状部材２５が配設されている。
【００３０】
次に、上記農作業機１を用いて畦形成作業を行う場合について説明する。
【００３１】
トラクタに農作業機１を連結した状態で、トラクタを前進走行させると、農作業機１がトラクタとともに進行方向に向って移動し、トラクタからの動力が入力軸６および伝動手段を経て回転軸８，１３に伝達され、盛土体７、側面形成体１５および上面形成体１６がそれぞれ所定方向に駆動回転する。
【００３２】
そして、畦塗り用の土が盛土体７の耕耘爪９にて耕耘されて盛り上げられ、この盛り上げられた土が側面形成体１５および上面形成体１６にて締め固められて傾斜状の畦側面および水平状の畦上面が形成されて、新畦が形成される。
【００３３】
このとき、側面形成体１５の各側面形成板２１の回転方向後端部の縮径側に反回転方向に向って膨出状に形成された締付力偏り防止用の膨出板部２３の存在により、略円錐状の側面形成体１５による土の締付力の偏りがなくなり、すなわち、周速の相違にかかわらず側面形成体１５の縮径側での締付力と拡径側での締付力が略等しくなり、その結果、畦側面の上側と畦側面の下側とが略同じ硬さとなり、硬さバランスの良好な崩れにくい畦が形成される。
【００３４】
このように、上記農作業機１によれば、各側面形成板２１の回転方向後端部の縮径側に形成された締付力偏り防止用の膨出板部２３によって、側面形成体１５による土の締付力の偏りを防止できるため、硬さバランスの良好な崩れにくい畦を適切に形成することができる。
【００３５】
また、各側面形成板２１の回転方向前端部の縮径側に膨出板部２３に対応した切欠部２４を形成したため、切欠部２４を形成しない場合に比べて、側面形成体１５の重量を軽くでき、製造コストも安くできる。
【００３６】
なお、上記一実施の形態の農作業機１の畦形成部１１は、略円筒状の上面形成体１６を有したものには限定されず、例えば図５に示すように、側面形成体１５側に向って縮径した略円錐状の上面形成体１６を有したもの等でもよい。
【００３７】
また、例えば図示しないが、略円錐状の円錐回転体は、回転中心軸線を中心として回転しながら盛土体にて盛り上げられた土を締め固めて水平状の畦上面を形成する上面形成体でもよい。この場合、各作用板である上面形成板の回転方向後端部の縮径側に形成された締付力偏り防止用の膨出板部にて上面形成体による土の締付力の偏りが防止され、畦上面の内側と畦上面の外側とが略同じ硬さとなり、硬さバランスの良好な崩れにくい畦が形成される。なお、略鼓形状の畦形成部１１を構成する側面形成体および上面形成体の両方が、締付力偏り防止用の膨出板部が形成された作用板を備えるような構成としてもよい。
【００３８】
さらに、畦形成部１１は、図示しないが、側面形成体および上面形成体に加えて、傾斜状の畦外側面を形成する円錐回転体である追加側面形成体を有するもの等でもよい。
【００３９】
また、側面形成体１５等の円錐回転体の略円錐状には、厳密な意味での円錐形状・円錐台形状には限定されず、これら円錐形状・円錐台形状に近似した形状等も含まれる。
【００４０】
さらに、円錐回転体は、個別的に交換可能な互いに別体である作用板（側面形成板２１）を備えたものには限定されず、互いに一体的な作用板を複数枚備えた一体構造とすることもできる。
【００４１】
また、所定の基準線Ｂより反回転方向に向って膨出した締付力偏り防止用の膨出板部２３は、側面形成板２１の回転方向後端部の縮径側のみに形成されたものには限定されず、例えば図６に示すように、側面形成板２１の回転方向後端部に拡径側端３０を頂点として回転方向後端部の略全体にわたって位置する略三角形状に形成されたもの等でもよい。
【００４２】
【発明の効果】
請求項１の発明によれば、円錐回転体の作用板の回転方向後端部に形成された締付力偏り防止用の膨出板部によって円錐回転体による土の締付力の偏りを防止できるため、硬さバランスの良好な崩れにくい畦を形成できる。
【００４３】
請求項２の発明によれば、円錐回転体の作用板の回転方向前端部に切欠部を形成しない場合に比べて、円錐回転体の重量を軽くできる。
【００４４】
請求項３の発明によれば、円錐回転体である側面形成体にて畦側面の上側と畦側面の下側とを略同じ硬さにでき、硬さバランスの良好な崩れにくい畦を適切に形成できる。
【図面の簡単な説明】
【図１】本発明の農作業機の一実施の形態を示す概略平面図である。
【図２】同上農作業機の畦形成部の側面図である。
【図３】同上農作業機の畦形成部のＩＩＩ―ＩＩＩ断面図（正面視縦断面図）である。
【図４】同上農作業機の畦形成部の斜視図である。
【図５】本発明の農作業機の他の実施の形態の畦形成部の斜視図である。
【図６】本発明の農作業機のさらに他の実施の形態の畦形成部の側面図である。
【符号の説明】
１    農作業機
７    盛土体
１５    円錐回転体である側面形成体
２１    作用板である側面形成板
２３    膨出板部
２４    切欠部
イ    回転方向
Ｘ    回転中心軸線
【図１】
2004305056.tif 000003
【図２】
2004305056.tif 000004
【図３】
2004305056.tif 000005
【図４】
2004305056.tif 000006
【図５】
2004305056.tif 000007
【図６】
2004305056.tif 000008